(57)【要約】【課題】第１表示デバイスを取り外しても、他の表示デバイスにデータを表示することができる情報処理装置を提供すること。【解決手段】表示データを生成する本体と、前記本体に着脱可能に取り付けられるとともに、前記表示データを表示可能な第１表示デバイスと、前記本体に設けられた第２表示デバイスと、前記第１表示デバイスが前記本体に取り付けられているか否かを検知する検知手段と、前記検知手段が前記第１表示デバイスの非接続状態を検知した場合、前記本体により生成された表示データを前記第２表示デバイスに表示させる表示デバイス選択手段と、を具備する情報処理装置。【選択図】  図５
2007179164.tif 000002
【特許請求の範囲】
【請求項１】
表示データを生成する本体と、
前記本体に着脱可能に取り付けられるとともに、前記表示データを表示可能な第１表示デバイスと、
前記本体に設けられた第２表示デバイスと、
前記第１表示デバイスが前記本体に取り付けられているか否かを検知する検知手段と、
前記検知手段が前記第１表示デバイスの非接続状態を検知した場合に、前記本体により生成された表示データを前記第２表示デバイスに表示させる制御部と、
を具備することを特徴とする情報処理装置。
【請求項２】
前記第２表示デバイスは前記本体表面に設けられていることを特徴とする請求講１記載の情報処理装置。
【請求項３】
前記第２表示デバイスはタッチパネル機構を有していることを特徴とする請求講２記載の情報処理装置
【請求項４】
前記第１表示デバイスは前記本体に取り付けられているときに、ヒンジを介して本体に対して回動可能であることを特徴とする請求講３記載の情報処理装置。
【請求項５】
前記本体には外部表示デバイスが接続可能であり、
前記検知手段は、前記第１表示デバイスの非接続状態を検知した場合に、前記外部表示デバイスが前記本体に接続されているか否かを検知し、
前記制御部は、前記検知手段が前記第１表示デバイスの非接続および前記外部表示デバイスの接続を検知した場合に、前記表示データを前記外部表示デバイスへ表示させることを特徴とする請求講１記載の情報処理装置。
【請求項６】
前記制御部は、前記検知手段が前記第１表示デバイスの非接続および前記外部表示デバイスの非接続を検知した場合に、前記表示データを前記第２表示デバイスに表示させることを特徴とする請求講５記載の情報処理装置。
【発明の詳細な説明】
【技術分野】
【０００１】
本発明は、情報処理装置に関する。
【背景技術】
【０００２】
ノートパソコンは、通常、表面にキーボード等の入力手段が形成された本体と、この本体にヒンジ等の係合手段で係合された蓋体状の表示デバイスとからなり、この蓋体状の表示デバイスには液晶パネル、プラズマディスプレイパネル等の表示部が備えられている。また、近年のノートパソコンには、本体上の入力手段の手前にタッチパネルが設けられることが多い。このタッチパネルは、マウスおよび表示部の役割を兼ねるものである。タッチパネルを備えたノートパソコンは、蓋体状の表示デバイスを主な作業を行う表示デバイス（第１表示デバイス）として用い、タッチパネルを副次的な作業を行う表示デバイス（第２表示デバイス）として使用することができる。
【０００３】
一方、ノートパソコンは、近年、特許文献１に示すように、第１表示デバイスが着脱可能になっているものが知られている。第１表示デバイスが取り外し可能であると、第１表示デバイスを交換したり修理に出したりすることができる。
【特許文献１】特開２００１−１５４７６０号公報
【発明の開示】
【発明が解決しようとする課題】
【０００４】
しかし、従来技術は、第１表示デバイスを取り外したときに表示デバイスがなくなるため、データを表示することができなくなるという問題があった。
【０００５】
そこで本発明は、第１表示デバイスを取り外しても、他の表示デバイスにデータを表示することができる情報処理装置の提供を目的とする。
【課題を解決するための手段】
【０００６】
本発明に係る情報処理装置は、表示データを生成する本体と、前記本体に着脱可能に取り付けられるとともに、前記表示データを表示可能な第１表示デバイスと、前記本体に設けられた第２表示デバイスと、前記第１表示デバイスが前記本体に取り付けられているか否かを検知する検知手段と、前記検知手段が前記第１表示デバイスの非接続状態を検知した場合に、前記本体により生成された表示データを前記第２表示デバイスに表示させる表示デバイス選択手段と、を具備することを特徴とする。
【発明の効果】
【０００７】
本発明に係る情報処理装置は、情報処理装置から第１表示デバイスを取り外しても、他の表示デバイスにデータを表示することができる。
【発明を実施するための最良の形態】
【０００８】
本発明に係る情報処理装置の実施の形態について添付図面を参照して説明する。
【０００９】
図１は、本発明に係る情報処理装置１を示す斜視図である。図２は、ヒンジ手段３を拡大して示す斜視図である。図３は、第１表示デバイス７を下方から見た斜視図である。図４は、第１表示デバイス７の下部を拡大して示す斜視図である。
【００１０】
図１に示された情報処理装置１は、ノートパソコンの例であるが、ラップトップ型パソコンであってもよい。この情報処理装置１は、表示データを生成する本体２にヒンジ手段３を介して、前記表示データを表示可能な第１表示部５を備えた第１表示デバイス７が回動自在かつ着脱可能に取り付けられる。ヒンジ手段３は、第１表示デバイス７を本体２に電気的および機械的、物理的に接続している。
【００１１】
図２に示されるように、ヒンジ手段３は、本体２に設けられた本体側ヒンジ部材１１と、本体側ヒンジ部材１１に対し回動自在に取り付けられた回動ヒンジ部材１２とからなる。回動ヒンジ部材１２の第１表示デバイス７側の面にはコネクタ凹部１３が設けられており、第１表示デバイス７は第１表示デバイス７の下部に設けられた第１表示デバイス接合部１５のスタッキングコネクタ１８に着脱可能に取り付けられる。
【００１２】
また、コネクタ凹部１３内の内壁側面には、フック凹部１４が形成されており、スタッキングコネクタ１８の可動フック１７と係合することにより、第１表示デバイス７を本体２に確実に接続できるようになっている。
【００１３】
図１に示すように、第１表示デバイス７には第１表示部５が備えられる。ここで、第１表示部５とは、第１表示デバイスに設けられ、主な作業を行う表示部である。第１表示部５としては、たとえば、液晶ディスプレイパネルやプラズマディスプレイパネル等が用いられる。
【００１４】
図３および図４に示すように、第１表示デバイス７の下部には、ヒンジ手段３の回動ヒンジ部材１２と接続する第１表示デバイス接合部１５が設けられる。第１表示デバイス接合部１５は、回動ヒンジ部材１２と接続すると回動ヒンジ部材１２内に収納される第１表示デバイス下方接合部１６と、回動ヒンジ部材１２と接続しても回動ヒンジ部材１２内に収納されない第１表示デバイス上方接合部１７とからなる。
【００１５】
第１表示デバイス下方接合部１６は、先端部にスタッキングコネクタ１８が設けられている。第１表示デバイス下方接合部１６は、スタッキングコネクタ１８により回動ヒンジ部材１２のコネクタ凹部１３と物理的および電気的に接続できるようになっている。
【００１６】
また、第１表示デバイス下方接合部１６の側面には、通常時に突出しているが、押しボタン１８の押し込み時には押し込みに連動して収納される可動フック１９が設けられている。
【００１７】
第１表示デバイス上方接合部１７は、正面に、可動フック１９の突出収納を自在に制御できる押しボタン１８が設けられている。押しボタン１８は、押し込むことにより通常時に突出している可動フック１９を収納し、押し込みを解除することにより可動フック１９を突出させるものである。
【００１８】
押しボタン１８に連動して可動フック１９が収納される機構は、公知のものを用いることができる。公知の機構としては、たとえば、押しボタン１８と可動フック１９との間に中間部材（図示せず）を設け、押しボタン１８を押し込んで中間部材が可動フック１９の収納方向に動くように構成して可動フック１９を収納させる機構が挙げられる。
【００１９】
図１に示すように、本体２には、キーボード等の入力手段６が設けられる。また、本体２には、本体２の表面の前部に第２表示デバイス８が備えられる。ここで、第２表示デバイス８とは、本体２に設けられ、副次的な作業を行う表示デバイスである。また、第２表示デバイス８は、タッチパネル機構を有していてもよい。第２表示デバイス８としては、たとえば、液晶ディスプレイパネルやプラズマディスプレイパネル等が用いられる。
【００２０】
情報処理装置１は、本体２に、表示デバイス制御システムが内蔵されている。
【００２１】
表示デバイス制御システムについて、図面を参照して説明する。
【００２２】
図５は、表示デバイス制御システム３０の概略ブロック図である。
【００２３】
表示デバイス制御システム３０は、表示デバイスコネクタ手段２１と、検知手段２２と、表示デバイス選択手段２３と、記憶手段２４と、グラフィックスコントローラ２５とを備える。また、表示デバイス制御システム３０は、表示デバイス選択手段２３と記憶手段２４とで、制御部３３を構成する。
【００２４】
表示デバイス制御システム３０は、表示デバイスコネクタ手段２１が検知手段２２と接続され、検知手段２２が制御部３３を構成する表示デバイス選択手段２３と接続され、制御部３３内で表示デバイス選択手段２３が記憶手段２４と接続され、表示デバイス選択手段２３および記憶手段２４がそれぞれＩ／Ｏコントローラ２６と接続され、Ｉ／Ｏコントローラ２６および検知手段２２がグラフィックスコントローラ２５と接続されている。
【００２５】
表示デバイスコネクタ手段２１は、本体２に設けられ、表示デバイスが接続されるコネクタであり、少なくとも第１表示デバイス７および第２表示デバイス８が接続されるようになっている。
【００２６】
表示デバイス制御システム３０の表示デバイスコネクタ手段２１は、３２Ａ、３２Ｂ、３２Ｃ、３２Ｄの４個の表示デバイスコネクタを備え、表示デバイスコネクタ３２Ａが第１表示デバイス７の接続される表示デバイスコネクタ、表示デバイスコネクタ３２Ｂが第２表示デバイス８の接続される表示デバイスコネクタになっている。
【００２７】
図１に示された情報処理装置１において、第１表示デバイス７の接続される表示デバイスコネクタ３２Ａは、コネクタ凹部１３に形成される。
【００２８】
表示デバイスコネクタ手段２１は、第１表示デバイス７および第２表示デバイス８以外の表示デバイスが接続可能になっていてもよい。表示デバイス制御システム３０では、表示デバイスコネクタ３２Ｃが図示しないＣＲＴやプロジェクター（外部表示デバイス）の接続される表示デバイスコネクタ、表示デバイスコネクタ３２Ｄが図示しないＴＶ（外部表示デバイス）の接続される表示デバイスコネクタになっている。本発明では、ＣＲＴ、プロジェクター、ＴＶ等のように、第１表示デバイス７および第２表示デバイス８以外の表示デバイスを、外部表示デバイスと称する。表示デバイスコネクタ手段２１は、検知手段２２に接続される。
【００２９】
検知手段２２は、本体２に設けられた表示デバイスコネクタ手段２１に接続される表示デバイスを検知する手段であり、接続される表示デバイスの種類を認識して、制御部３３を構成する表示デバイス選択手段２３に選択信号を発信するようになっている。ここで、表示デバイスの種類とは、第１表示デバイス７、第２表示デバイス８または外部表示デバイス等の種類を意味する。また、選択信号とは、表示デバイスコネクタ手段２１の各コネクタ３２Ａ、３２Ｂ、３２Ｃ、３２Ｄに接続される各表示デバイスの種類の情報を有する信号である。
【００３０】
制御部３３は、表示デバイス選択手段２３と記憶手段２４とからなり、表示デバイス選択手段２３が、記憶手段２４内に設定された優先順位プログラム３１に従って、稼動させる表示デバイスを選択する手段である。
【００３１】
優先順位プログラム３１の詳細については後述するが、この優先順位プログラム３１は、検知手段２２が第１表示デバイス７の非接続状態を検知した場合に、本体２により生成された表示データを第２表示デバイス８に表示させたり、検知手段２２が第１表示デバイス７の非接続および外部表示デバイス８の接続を検知した場合に、表示データを外部表示デバイスへ表示させるように設定される。
【００３２】
表示デバイス選択手段２３は、検知手段２２の発信する選択信号に基づき、記憶手段２４に格納された優先順位プログラム３１に従って、稼動させる表示デバイスを選択する手段である。表示デバイス選択手段２３には、エンベデッドコントローラ等が用いられる。
【００３３】
記憶手段２４は、稼動させる表示デバイスの優先順位が設定された、書き換え可能な優先順位プログラム３１が格納された手段である。記憶手段２４には、たとえばフラッシュメモリ等の不揮発メモリが用いられ、プログラムの設定を書き換え可能になっている。
【００３４】
記憶手段２４には、書き換え可能な優先順位プログラム３１が格納される。優先順位プログラム３１は、いわゆるＢＩＯＳ（Basic Input/Output System）であり、表示デバイス選択手段２３の発信する選択信号に基づき、稼動させる表示デバイスの種類と稼動させる優先順位が設定されている。
【００３５】
優先順位プログラム３１は、たとえば、図６に示すように、稼動させる表示デバイスの稼動の順番に優先順位を付けたものである。
【００３６】
グラフィックスコントローラ２５は、表示デバイス選択手段２３が選択した表示デバイスを稼動させる作用を有する手段である。なお、図５に示す表示デバイス制御システム３０では、グラフィックスコントローラ２５と表示デバイス選択手段２３との間にＩ／Ｏコントローラ２６が接続されているが、表示デバイス選択手段２３から発信される信号は、グラフィックスコントローラ２５が確実に受け取れるようになっている。
【００３７】
優先順位プログラムは、稼動させる表示デバイスの候補として、少なくとも第１表示デバイス７と第２表示デバイス８とを含み、本体２から第１表示デバイス７を取り外しても、少なくとも第２表示デバイス８を稼動させることができるように設定されている。
【００３８】
図６は、優先順位プログラム３１のセットアップ画面の一例を示す図である。図６は、複数の表示デバイスの稼動させる優先順位が設定されたセットアップ画面の一例を示したものである。
【００３９】
図６において、ＭａｉｎＬＣＤは第１表示デバイス７を意味し、ＳｕｂＬＣＤは第２表示デバイス８を意味する。
【００４０】
図６に示すケース１Ａは、稼動させる表示デバイスの順番を「ＭａｉｎＬＣＤ→ＣＲＴ／Ｐｒｏｊｅｃｔｏｒ→ＴＶ→ＳｕｂＬＣＤ」とした例である。
【００４１】
このケース１Ａでは、最初にＭａｉｎＬＣＤ（第１表示デバイス７）、次にＣＲＴ／Ｐｒｏｊｅｃｔｏｒ、さらにＴＶ、次にＳｕｂＬＣＤ（第２表示デバイス８）の順番に、稼動させる表示デバイスが選択されるようになっている。
【００４２】
すなわち、このケース１Ａでは、第２表示デバイス８の優先順位が第１表示デバイス７の優先順位および外部表示デバイス９、１０の優先順位より下位に設定されており、第１表示デバイス７が接続されているとき（接続状態）は第１表示デバイス７が稼動し、第１表示デバイス７が接続されていないとき（非接続状態）はＣＲＴ／ＰｒｏｊｅｃｔｏｒまたはＴＶ等の外部表示デバイスが稼動し、外部表示デバイスが接続されていないとき（非接続状態）は第２表示デバイス８が稼動するようになっている。
【００４３】
換言すれば、第２表示デバイス８は、第１表示デバイス７、ＣＲＴ／Ｐｒｏｊｅｃｔｏｒ（外部表示デバイス）およびＴＶ（外部表示デバイス）のいずれも情報処理装置に接続されていない場合に稼動するようになっている。
【００４４】
このため、このケース１Ａでは、本体２から第１表示デバイス７を取り外しても、第２表示デバイス８を稼動させることができるように設定されている。
【００４５】
また、このケース１Ａでは、優先順位プログラム３１に設定された優先順位は、第２表示デバイス８の優先順位が第１表示デバイス７の優先順位より下位または同位に設定されており、本体から第１表示デバイス７を取り外しても、第２表示デバイス８を稼動させることができるように設定されている。
【００４６】
また、図６に示すケース１Ｂは、稼動させる表示デバイスの順番を「ＭａｉｎＬＣＤ→ＳｕｂＬＣＤ→ＣＲＴ／Ｐｒｏｊｅｃｔｏｒ→ＴＶ」とした例である。
【００４７】
このケース１Ｂでは、第２表示デバイス８の優先順位が第１表示デバイス７の優先順位より下位に設定されており、最初にＭａｉｎＬＣＤ（第１表示デバイス７）、次にＳｕｂＬＣＤ（第２表示デバイス８）、さらにＣＲＴ／Ｐｒｏｊｅｃｔｏｒ（外部表示デバイス）、次にＴＶ（外部表示デバイス）の順番に、稼動させる表示デバイスが選択されるようになっている。
【００４８】
すなわち、このケース１Ｂでは、第２表示デバイス８の優先順位が第１表示デバイス７の優先順位より下位であるが、外部表示デバイス９、１０の優先順位より上位に設定されており、第１表示デバイス７が接続されているとき（接続状態）は第１表示デバイス７が稼動し、第１表示デバイス７が接続されていないとき（非接続状態）は第２表示デバイス８が稼動するようになっている。
【００４９】
換言すれば、第２表示デバイス８は、第１表示デバイス７が情報処理装置に接続されていない場合にすぐに稼動するようになっている。
【００５０】
次に、本発明に係る情報処理装置１の作用を説明する。図７は、本発明に係る情報処理装置１の一般的な作用を示すフローチャートである。
【００５１】
情報処理装置１に内蔵される表示デバイス制御システム３０は、最初に、表示デバイスコネクタに表示デバイスが接続される（ステップＳ１１）。ここで、表示デバイスとは、第１表示デバイス７および第２表示デバイス８、ならびにＣＲＴ／ＰｒｏｊｅｃｔｏｒおよびＴＶ等の外部表示デバイスを含む概念である。
【００５２】
次に、検知手段２２は、表示デバイスコネクタ２１に接続された表示デバイスを検知し（ステップＳ１２）、検知した表示デバイスの種類等の接続情報を含む選択信号をエンベデッドコントーラ（表示デバイス選択手段）２３に発信する（ステップＳ１３）。
【００５３】
選択信号を受信したエンベデッドコントーラ（表示デバイス選択手段）２３は、記憶手段２４に格納された優先順位プログラム３１に対し、優先順位プログラム３１に従って稼動させる表示手段を選択するための制御信号を発信する（ステップＳ１４）。
【００５４】
優先順位プログラム３１は、稼動させる表示デバイスの優先順位が設定されたプログラムに従って、稼動させる表示デバイスを決定する処理を行い、エンベデッドコントーラ（表示デバイス選択手段）２３は、優先順位プログラム３１から、稼動することが選択された表示デバイスの情報を受信する（ステップＳ１５）。
【００５５】
ここで、稼動することが選択された表示デバイスは、１個でも複数個でもよい。たとえば、優先順位プログラム３１が、第１表示デバイス７と第２表示デバイス８とを同時に表示させるように設定されている場合は、稼動することが選択された表示デバイスは、第１表示デバイス７と第２表示デバイス８の２個になる。
【００５６】
エンベデッドコントーラ（表示デバイス選択手段）２３は、稼動が決定された表示デバイスの情報をグラフィックスコントローラ２５に送信し、グラフィックスコントローラ２５は稼動が決定された表示デバイスを稼動させる（ステップＳ１６）。
【００５７】
表示デバイス制御システム３０は、優先順位プログラム３１が、上記ケース１Ａやケース１Ｂのように、第２表示デバイス８の優先順位が第１表示デバイス７の優先順位よりも下位である場合には、本体２から第１表示デバイス７を取り外しても、第２表示デバイス８を稼動させることができる。
【００５８】
図８は、優先順位プログラム３１の設定がケース１Ａである場合の本発明に係る情報処理装置１の具体的な作用を示すフローチャートである。
【００５９】
情報処理装置１に内蔵される表示デバイス制御システム３０は、最初に、検知手段２２が、表示デバイスコネクタ７、８、９、１０に表示デバイスが接続されているかを検知する。
【００６０】
表示デバイスコネクタ７に第１表示デバイス７が接続されていると検知手段２２が認識する場合（接続状態）は、表示デバイス選択手段２３は、記憶手段２４中の優先順位プログラム３１の設定のケース１Ａに従い、第１表示デバイス７を稼動させる信号をグラフィックスコントローラ２５に送信する。グラフィックスコントローラ２５は、第１表示デバイス７を稼動させ、表示データを表示させる（ステップＳ２１）。
【００６１】
一方、表示デバイスコネクタ７に第１表示デバイス７が接続されていないと検知手段２２が認識する場合（非接続状態）は、表示デバイス選択手段２３は、記憶手段２４中の優先順位プログラム３１の設定のケース１Ａに従い、外部表示デバイス９または１０が前記本体に接続されているか否かの検知情報を検知手段２２から取得する。
【００６２】
この結果、検知手段２２が、外部表示デバイス９または１０が接続されていると認識する場合（接続状態）は、表示デバイス選択手段２３は、記憶手段２４中の優先順位プログラム３１の設定のケース１Ａに従い、外部表示デバイス９または１０を稼動させる信号をグラフィックスコントローラ２５に送信する。グラフィックスコントローラ２５は、外部表示デバイス９または１０を稼動させ、表示データを表示させる。
【００６３】
また、検知手段２２が、外部表示デバイス９または１０が接続されていないと認識する場合（非接続状態）は、表示デバイス選択手段２３は、記憶手段２４中の優先順位プログラム３１の設定のケース１Ａに従い、第２表示デバイス８を稼動させる信号をグラフィックスコントローラ２５に送信する。グラフィックスコントローラ２５は、第２表示デバイス８を稼動させ、表示データを表示させる（ステップＳ２２）。
【００６４】
本発明に係る情報処理装置は、情報処理装置から第１表示デバイスを取り外しても、情報処理装置に設けられた第２表示デバイスを稼動させることにより、使用者が作業を行うことができる。
【図面の簡単な説明】
【００６５】
【図１】本発明に係る情報処理装置を示す斜視図。
【図２】ヒンジ手段を拡大して示す斜視図。
【図３】第１表示デバイスを下方から見た斜視図。
【図４】第１表示デバイスの下部を拡大して示す斜視図。
【図５】本発明に係る表示デバイス制御システムの概略ブロック図。
【図６】優先順位プログラムのセットアップ画面の一例を示す図。
【図７】本発明に係る情報処理装置の一般的な作用を示すフローチャート。
【図８】優先順位プログラムの一例の設定に従う場合の本発明に係る情報処理装置の具体的な作用を示すフローチャート。
【符号の説明】
【００６６】
１  情報処理装置
２  本体
３  ヒンジ手段
５  第１表示部
６  入力手段
７  第１表示デバイス
８  第２表示デバイス
９  外部表示デバイス
１０  外部表示デバイス
１１  本体側ヒンジ部材
１２  回動ヒンジ部材
１３  本体接合部材のコネクタ凹部
１４  本体接合部材のフック凹部
１５  第１表示デバイス接合部
１６  第１表示デバイス下方接合部
１７  第１表示デバイス上方接合部
１８  押しボタン
１９  可動フック
２０  スタッキングコネクタ
２１  表示デバイスコネクタ手段
２２  検知手段
２３  表示デバイス選択手段（エンベデッドコントーラ）
２４  記憶手段
２５  グラフィックスコントローラ
２６  Ｉ／Ｏコントローラ
２７  ＣＰＵ
３０  表示デバイス制御システム
３１  優先順位プログラム
３２Ａ、３２Ｂ、３２Ｃ、３２Ｄ  表示デバイスコネクタ
３３  制御部
【図１】
2007179164.tif 000003
【図２】
2007179164.tif 000004
【図３】
2007179164.tif 000005
【図４】
2007179164.tif 000006
【図５】
2007179164.tif 000007
【図６】
2007179164.tif 000008
【図７】
2007179164.tif 000009
【図８】
2007179164.tif 000010